(57)【要約】【課題】表現手段及び強度を向上させると共に低コストで製造し得るオブジェ及びその製造方法を提供する。【解決手段】  複数のシート部材１１を用いるオブジェであって、シート部材１１を交互に折り返してジャバラ折りにし、ジャバラ折りの複数のシート部材１１を山側の折目部分１２で向い合わせるよう配置し、向い合う山側の折目部分１２同士を接続し、接続されたジャバラ折りの複数のシート部材１１を折り畳んだ状態で型抜きするよう構成される。【選択図】図３
2006231590.tif 000002
【特許請求の範囲】
【請求項１】
複数のシート部材を用いるオブジェであって、シート部材を交互に折り返してジャバラ折りにし、ジャバラ折りの複数のシート部材を山側の折目部分で向い合わせるよう配置し、向い合う山側の折目部分同士を接続するよう構成されたことを特徴とするオブジェ。
【請求項２】
接続されたジャバラ折りの複数のシート部材を折り畳んだ状態で型抜きするよう構成されたことを特徴とする請求項１記載のオブジェ。
【請求項３】
シート部材を薄紙、厚紙、樹脂から選択された素材により構成したことを特徴とする請求項１記載のオブジェ。
【請求項４】
シート部材に色彩又はデザインを施したことを特徴とする請求項１〜３のいずれかに記載のオブジェ。
【請求項５】
ジャバラ折りのジャバラ折り部分を広げるよう展開して吊り下げ得る装飾部材にした請求項１〜４のいずれかに記載のオブジェ。
【請求項６】
シート部材を交互に折り返してジャバラ折りにし、ジャバラ折りの複数のシート部材を山側の折目部分で向い合わせるよう配置し、向い合う山側の折目部分同士を接続することを特徴とするオブジェの製造方法。
【請求項７】
接続されたジャバラ折りの複数のシート部材を折り畳んだ状態で型抜きすることを特徴とする請求項６記載のオブジェの製造方法。
【発明の詳細な説明】
【技術分野】
【０００１】
本発明は、オブジェ及びその製造方法に関するものである。
【背景技術】
【０００２】
一般に、天井等に吊り下げる装飾部材のオブジェは、両側へ展開して吊り下げるものや、ワイヤーを用いて吊り下げるものがある（例えば、特許文献１参照）。
【０００３】
ここで、両側へ展開して吊り下げるオブジェは、薄紙の素材から構成されるものであり、そのオブジェの製造方法は、図１１〜図１３に示す如く、初めに、一枚目の薄紙１の縁部２及び中途位置３に糊等の接着材を塗布して二枚目の薄紙１を重ね、次に、二枚目の薄紙１の他の縁部４及び他の中途位置５に糊等の接着剤を塗布して三枚目の薄紙１を重ね、続いて、三枚目の薄紙１の縁部２及び中途位置３に糊等の接着剤を塗布して四枚目の薄紙１を重ね、更に糊等の接着剤を介して５枚目、６枚目と薄紙１を重ねることにより、所定枚数の薄紙１を糊付けして重ねた紙束６を形成する。次に、オブジェの断面形状に形成された型枠７により紙束６を型抜き（ポンス抜き）し、型抜きした紙束６に色彩を施している。
【０００４】
このような薄紙１により製造されたオブジェは、左右（図１３では上下方向）に展開することにより、吊り下げ可能な状態になり、装飾部材として使用可能になる。なお、図１３では、それぞれの薄紙１の配置がどのようになっているのか明瞭にするため、本来糊付けの部分を隙間にしている。
【特許文献１】実用新案登録第３０２１７３３号公報
【発明の開示】
【発明が解決しようとする課題】
【０００５】
しかしながら、このようなオブジェは、図１３に示す如く、使用時に各シート部材を波状に湾曲させて展開させる必要があるため、材質が薄紙１に限定され、オブジェの表現手段が著しく制限されると共に、強度が弱いという問題があった。又、オブジェを製作する際には、シート部材ごとに糊付けして重ねる作業が必要があるため、手間と時間がかかり、製造コストが高いという問題があった。
【０００６】
本発明は、上述の実情に鑑み、表現手段及び強度を向上させると共に低コストで製造し得るオブジェ及びその製造方法を提供することを目的とするものである。
【課題を解決するための手段】
【０００７】
本発明は、複数のシート部材を用いるオブジェであって、シート部材を交互に折り返してジャバラ折りにし、ジャバラ折りの複数のシート部材を山側の折目部分で向い合わせるよう配置し、向い合う山側の折目部分同士を接続するよう構成されたことを特徴とするオブジェ、にかかるものである。
【０００８】
又、本発明は、接続されたジャバラ折りの複数のシート部材を折り畳んだ状態で型抜きするように構成されることが好ましい。
【０００９】
本発明は、シート部材を薄紙、厚紙、樹脂から選択された素材により構成することが好ましい。
【００１０】
本発明は、シート部材に色彩又はデザインを施することが好ましい。
【００１１】
本発明は、ジャバラ折りのジャバラ折り部分を広げるよう展開して吊り下げ得る装飾部材にすることが好ましい。
【００１２】
本発明は、シート部材を交互に折り返してジャバラ折りにし、ジャバラ折りの複数のシート部材を山側の折目部分で向い合わせるよう配置し、向い合う山側の折目部分同士を接続することを特徴とするオブジェの製造方法、にかかるものである。
【００１３】
又、本発明は、接続されたジャバラ折りの複数のシート部材を折り畳んだ状態で型抜きすることが好ましい。
【００１４】
このように、本発明のオブジェ及びその製造方法によれば、オブジェを折り畳んだ状態から展開する際には、ジャバラ折り部分を広げるので、個々のシート部材を波状に湾曲させる必要がなく、折り畳み可能ならば素材を自由に使用でき、オブジェの表現手段を向上させることができる。又、複数のシート部材を山側の折目部分同士を接続することにより、接続部分が、オブジェの展開方向に沿うようオブジェの略中央に位置するので、シート部材を一枚づつ重ねた構成に比べて全体の強度を向上させることができる。
【００１５】
接続されたジャバラ折りの複数のシート部材を折り畳んだ状態で型抜きするように構成されること、オブジェの表現手段を一層向上させることができる。
【００１６】
シート部材を薄紙、厚紙、樹脂から選択された素材により構成すると、オブジェの表現手段を一層向上させることができると共に強度を向上させることができる。
【００１７】
シート部材に色彩又はデザインを施すと、オブジェの表現手段を大幅に向上させることができる。
【００１８】
ジャバラ折りのジャバラ折り部分を広げるよう展開して吊り下げ得る装飾部材にすると、オブジェの表現手段を向上させることができる。
【００１９】
本発明のオブジェの製造方法によれば、シート部材を交互に折り返してジャバラ折りにし、ジャバラ折りの複数のシート部材を山側の折目部分同士を接続するので、シート部材ごとに糊付けして重ねる作業を不要にし、手間を簡略化すると共に製造時間を短縮し、製造コストを低減することができる。
【００２０】
接続されたジャバラ折りの複数のシート部材を折り畳んだ状態で型抜きすると、オブジェの外形及び内側の穴を一度に形成し得るので、一層手間を簡略化すると共に製造時間を短縮し、製造コストを好適に低減することができる。又、オブジェに形成した外形及び内側の穴により、オブジェの表現手段を一層向上させることができる。
【発明の効果】
【００２１】
以上説明したように、本発明のオブジェ及びその製造方法によれば、表現手段及び強度を向上させると共に低コストで製造することができるという優れた効果を奏し得る。
【発明を実施するための最良の形態】
【００２２】
以下、本発明の実施の形態を図面に基いて説明する。
【００２３】
図１〜図６は、本発明のオブジェ及びその製造方法を実施する形態の第一例である。
【００２４】
本形態の第一例のオブジェは、色彩又はデザインを施した薄紙、厚紙、樹脂等の素材のシート部材１１から構成されるものであり、ジャバラ折りに形成された複数のシート部材１１（図では２つ）を組み合わせ、型抜きして構成されたものである。
【００２５】
以下、本発明を実施する形態の第一例のオブジェの製造方法を説明する。
【００２６】
オブジェを製造する際には、初めに、所定の素材のシート部材１１に色彩又はデザインを施し、折り機（図示せず）により図１に示す如くシート部材１１を交互に折り返してジャバラ折りにする。次に、図２に示す如く、ジャバラ折りの２つのシート部材１１を山側の折目部分１２で向い合わせるよう配置し、図３、図４の如く、２つのシート部材１１の向い合う山側の折目部分１２同士をテープ１３等の接続手段により接続し、ジャバラ折りの２つのシート部材１１を折り畳んだ状態にして紙束１４を構成する。続いて、図５に示す如く、ジャバラ折りの複数のシート部材１１を折り畳んだ紙束１４の状態で、側部の折り返し部分の一部を残すよう、型枠１５により型抜き（ビク抜き）し、オブジェを最終的に製造する。なお、図５、図６において型枠１５により型抜きされた形状は提灯の形状を示している。
【００２７】
ここで、シート部材１１に色彩又はデザインを施す際には、オブジェの美観を高めるために、オブジェの最終状態を予想して折り返し部分で色を変えるようにしたり、展開部分に所定の色彩や、絵、模様、文字等のデザインを施すようにすることが好ましい。又、シート部材１１をジャバラ折りにする折り機は、製造コストを下げるために汎用の折り機を使用しても良い。更に、シート部材１１の向い合う山側の折目部分１２同士を接続する接続手段は、テープ１３が好ましいが、折目部分１２に糊しろを設けて糊等の接着剤を用いても良いし、折目部分１２に凹凸の差込形状を形成して接続しても良い。更に又、接続するシート部材１１は、２つの構成に限定されるものでなく、接続した２つのシート部材１１の側方へ更に他のシートを接続するよう、複数のシート部材１１を山側の折目部分１２同士で接続しても良い。又、ジャバラ折りの複数のシート部材１１を折り畳んだ状態で型抜きする際には、接続部分が左右対称の軸中心になるよう構成することが好ましい。更に、オブジェの展開方向に延長する際には、オブジェの端部を他のオブジェの端部に接続しても良い。
【００２８】
製造されたオブジェを使用する際には、図６の如く、左右方向（図６では斜め上下方向）に展開することにより、吊り下げ可能な状態にし、装飾部材として使用する。又、オブジェを展開した際には、型枠１５の型抜きにより、接続部分が複数のシート部材１１の左右対称の軸中心になっていることから、同じような形状を展開する。
【００２９】
このように、本形態の第一例によれば、オブジェを折り畳んだ状態から展開する際には、ジャバラ折り部分を広げるので、個々のシート部材１１を波状に湾曲させる必要がなく、折り畳み可能ならば素材を自由に使用でき、オブジェの表現手段を向上させることができる。又、複数のシート部材１１を山側の折目部分１２同士を接続することにより、接続部分が、オブジェの展開方向に沿うようオブジェの略中央に位置するので、シート部材１１を一枚づつ重ねた構成に比べて全体の強度を向上させることができる。更に、複数のシート部材１１を山側の折目部分１２の先端同士で接続した場合には、オブジェの展開方向と接続方向が異なるため、全体の強度を一層向上させることができる。更に又、接着手段にテープ１３を用いた場合には、製造を容易にすると共に強度を向上させることができる。
【００３０】
接続されたジャバラ折りの複数のシート部材１１を折り畳んだ状態で型抜きするように構成されること、オブジェの表現手段を一層向上させることができる。
【００３１】
シート部材１１を薄紙、厚紙、樹脂から選択された素材により構成すると、オブジェの表現手段を一層向上させることができると共に強度を向上させることができる。
【００３２】
シート部材１１に色彩又はデザインを施すると、オブジェの表現手段を大幅に向上させることができる。
【００３３】
ジャバラ折りのジャバラ折り部分を広げるよう展開して吊り下げ得る装飾部材にすると、オブジェの表現手段を向上させることができる。
【００３４】
本形態の製造方法によれば、シート部材１１を交互に折り返してジャバラ折りにし、ジャバラ折りの複数のシート部材１１を山側の折目部分１２同士を接続するので、シート部材１１ごとに糊付けして重ねる作業を不要にし、手間を簡略化すると共に製造時間を短縮し、製造コストを低減することができる。又、シート部材１１をジャバラ折りにする前に色彩又はデザインを施すと、一層製造コストを低減することができる。
【００３５】
接続されたジャバラ折りの複数のシート部材１１を折り畳んだ状態で型抜きすると、オブジェの外形及び内側の穴を一度に形成し得るので、一層手間を簡略化すると共に製造時間を短縮し、製造コストを好適に低減することができる。又、オブジェに形成した外形及び内側の穴により、オブジェの表現手段を一層向上させることができる。
【００３６】
図７、図８は、本発明のオブジェの形態の第二例を示すものであり、型抜きをビール瓶の形状に変形したものである。
【００３７】
本形態の第二例は、第一例と略同様な製造方法であって、色彩又はデザインを施した薄紙、厚紙、樹脂等の素材のシート部をジャバラ折りにし、ジャバラ折りの２つのシート部材２１を山側の折目部分２２で向い合わせるよう配置し、山側の折目部分２２でテープ等の接続手段（図示せず）で接続し、ジャバラ折りの２つのシート部材２１を折り畳んだ紙束の状態で型枠（図示せず）によりビール瓶の形状に型抜きし、オブジェを製造するものである。
【００３８】
このため、ビール瓶の形状に型抜きされたオブジェを展開した際には、図８に示す如く、ビール瓶が一列に並んだ状態を示し、表現手段を大幅に向上させることができる。
【００３９】
図９、図１０は、本発明のオブジェの形態の第三例を示すものであり、型抜きを鬼面の形状に変形したものである。
【００４０】
本形態の第三例は、第一例と略同様な製造方法であって、色彩又はデザインを施した薄紙、厚紙、樹脂等の素材のシート部をジャバラ折りにし、ジャバラ折りの２つのシート部材３１を山側の折目部分３２で向い合わせるよう配置し、山側の折目部分３２でテープ等の接続手段（図示せず）で接続し、ジャバラ折りの２つのシート部材３１を折り畳んだ紙束の状態で型枠（図示せず）により鬼面の形状に型抜きし、オブジェを製造するものである。
【００４１】
このため、鬼面の形状に型抜きされたオブジェを展開した際には、図１０に示す如く、鬼面が展開した状態を表し、表現手段を大幅に向上させることができる。又、型抜きの際に穴を形成することにより、鬼面の眉毛３３、目３４、鼻３５、口３６等を形成し、表現手段を一層向上させることができる。
【００４２】
なお、本発明は、上述の実施の形態にのみ限定されるものではなく、オブジェは、吊り下げるものに限定されるものでなく、載置しても良いし、他の用途に使用しても良いこと、型抜きの形状は上記の実施例に限定されるものではなく、他の形状でも良いこと、その他、本発明の要旨を逸脱しない範囲内において種々変更を加え得ることは勿論である。
【図面の簡単な説明】
【００４３】
【図１】本発明のオブジェの製造方法におけるジャバラ折のシート部材を示す斜視図である。
【図２】本発明のオブジェの製造方法においてジャバラ折の２つのシート部材を向い合わせるよう配置した状態を示す斜視図である。
【図３】本発明のオブジェの製造方法においてジャバラ折の２つのシート部材をテープにより接続した状態を示す側面図である。
【図４】本発明のオブジェの製造方法においてジャバラ折の２つのシート部材をテープにより接続した状態を示す斜視図である。
【図５】本発明のオブジェの製造方法において、接続した２つのシート部材を型抜きする状態を示す斜視図である。
【図６】本発明の実施の形態の第一例を展開状態で示す斜視図である。
【図７】本発明の実施の形態の第二例を示す正面図である。
【図８】本発明の実施の形態の第二例を展開状態で示す斜視図である。
【図９】本発明の実施の形態の第三例を示す正面図である。
【図１０】本発明の実施の形態の第三例を展開状態で示す斜視図である。
【図１１】従来のオブジェの製造方法において紙束を作成する状態を示す概念図である。
【図１２】従来のオブジェの製造方法において紙束を型抜きする状態を示す斜視図である。
【図１３】従来のオブジェを展開した状態を示す斜視図である。
【符号の説明】
【００４４】
１１  シート部材
１２  折目部分
２１  シート部材
２２  折目部分
３１  シート部材
３２  折目部分
【図１】
2006231590.tif 000003
【図２】
2006231590.tif 000004
【図３】
2006231590.tif 000005
【図４】
2006231590.tif 000006
【図５】
2006231590.tif 000007
【図６】
2006231590.tif 000008
【図７】
2006231590.tif 000009
【図８】
2006231590.tif 000010
【図９】
2006231590.tif 000011
【図１０】
2006231590.tif 000012
【図１１】
2006231590.tif 000013
【図１２】
2006231590.tif 000014
【図１３】
2006231590.tif 000015